(57)【要約】【課題】手書きによる文字又は図形が含まれた原稿を読み取り、得られた画像データの処理を行う画像処理装置において、例えば所定色の模様等が印刷された原稿に、前記所定色と同色の手書きがされた場合に対応することが出来る画像処理装置及び画像形成装置を提供する。【解決手段】手書きによる文字又は図形が含まれた原稿に係る画像データに対し、画像処理部が手書き部ｗに隣接する隣接部ｃの色相、彩度又は明度を調整し、前記手書き部ｗと手書き領域に隣接する隣接部ｃの色相、彩度又は明度が異なるようにする。【選択図】図４
2009105492.tif 000002
【特許請求の範囲】
【請求項１】
手書きによる文字又は図形が含まれた原稿を読み取り、得られた画像データの処理を行う画像処理装置において、
前記画像データに対し、手書きによる文字又は図形からなる手書き領域の縁部又は手書き領域に隣接する所定範囲の色相、彩度又は明度の調整を行う調整手段を備えていることを特徴とする画像処理装置。
【請求項２】
前記画像データに基づき、手書き領域の色相が該手書き領域を囲む外側領域の色相と同一又は類似であるかを判定する判定手段を備え、
該判定手段の判定結果に基づき、前記調整手段が色相、彩度又は明度の調整を行うように構成されていることを特徴とする請求項１に記載の画像処理装置。
【請求項３】
前記外側領域は、前記手書き領域に隣接する１又は複数ドットの範囲であることを特徴とする請求項２に記載の画像処理装置。
【請求項４】
前記調整手段による色相、彩度又は明度の調整の実行に係る指示を受付ける指示受付手段を備え、
該指示受付手段が前記指示を受付けた場合、前記調整手段が色相、彩度又は明度の調整を行うように構成されていることを特徴とする請求項１に記載の画像処理装置。
【請求項５】
表示部と、
前記調整手段による色相、彩度又は明度の調整前に、該調整が行われた場合に予測される画像データに基づく画像を前記表示部に表示する表示手段と
を備えていることを特徴とする請求項４に記載の画像処理装置。
【請求項６】
請求項１から５のいずれか一つに記載の画像処理装置を備え、
該画像処理装置により処理された画像データに基づき、シート上に画像を形成するように構成されていることを特徴とする画像形成装置。
【発明の詳細な説明】
【技術分野】
【０００１】
本発明は、原稿を読み取り、得られた画像データの処理を行う画像処理装置と、該画像処理装置を備えた画像形成装置に関する。
【背景技術】
【０００２】
画像処理技術の進歩に伴い、いわゆるコピー機能を有するコピー機、複合機等の印刷処理の性能も向上されつつある。このような、印刷処理に適用される画像処理技術としては、例えば、誤差拡散処理が挙げられる。
【０００３】
誤差拡散処理とは、限定された色調を用い、より豊富な色調を表現するための処理である。例えば、白黒プリンタのように、白又は黒の２色しか表現することが出来ない装置で写真を印刷する場合に、面積あたりの白（白点）及び黒（黒点）の画素密度の調整によって、灰色などの中間色を表現することができ、人間の目に擬似的に滑らかな変化のある画像であるように認識させるものである。
【０００４】
また、特許文献１では、上述の誤差拡散処理を行う際に、黒色の下地中の白点の発生及び白色の下地中の黒点の発生を抑えて、中間調画像のコントラストを向上させる画像処理方式を提供している。
【特許文献１】特開２００１−１１１８３１号公報
【発明の開示】
【発明が解決しようとする課題】
【０００５】
一方、黒色の模様、記号、文字（以下、模様等という）が印刷されている印刷用紙に黒ボールペン、鉛筆等を用いた手書きの書き込みがされた場合、たとえ前記黒色の模様等の上にも手書きの書き込みが一部されたとしても、肉眼では十分に前記手書きの書き込みを視認することができる。しかし、これを白黒コピーした場合は、前記黒色の模様等及び前記手書きの書き込みからなる手書き領域が同じ黒色として表示され、黒色の模様等の上の手書き領域は視認することが出来なくなるという問題があった。このような問題は、特許文献１の画像処理方式では解決することが出来ない。
【０００６】
本発明は、斯かる事情に鑑みてなされたものであり、その目的は、手書きによる文字又は図形が含まれた原稿を読み取り、得られた画像データに対して、手書き領域の縁部又は手書き領域に隣接する所定範囲の色相、彩度又は明度の調整を行う調整手段を備え、例えば所定色の模様等が印刷された原稿に、前記所定色と同色の手書きがされた場合に対応することが出来る画像処理装置及び画像形成装置を提供することにある。
【課題を解決するための手段】
【０００７】
本発明に係る画像処理装置は、手書きによる文字又は図形が含まれた原稿を読み取り、得られた画像データの処理を行う画像処理装置において、前記画像データに対し、手書きによる文字又は図形からなる手書き領域の縁部又は手書き領域に隣接する所定範囲の色相、彩度又は明度の調整を行う調整手段を備えていることを特徴とする。
【０００８】
本発明にあっては、手書きによる文字又は図形が含まれた原稿に係る画像データに対し、前記調整手段は手書き領域の縁部又は手書き領域に隣接する所定範囲の色相、彩度又は明度を調整し、前記手書き領域と手書き領域に隣接する所定範囲との色相、彩度又は明度が異なるようにする。
【０００９】
本発明に係る画像処理装置は、前記画像データに基づき、手書き領域の色相が該手書き領域を囲む外側領域の色相と同一又は類似であるかを判定する判定手段を備え、該判定手段の判定結果に基づき、前記調整手段が色相、彩度又は明度の調整を行うように構成されていることを特徴とする。
【００１０】
本発明にあっては、前記判定手段は前記画像データ（例えばＲ，Ｇ，Ｂ信号）に基づいて手書き領域の色相が手書き領域を囲む外側領域の色相と同一又は類似であるかを判定し、前記判定手段の判定結果に基づき、前記調整手段が手書き領域に隣接する所定範囲又は前記手書き領域の縁部の色相、彩度又は明度の調整を行う。
【００１１】
本発明に係る画像処理装置は、前記外側領域は、前記手書き領域に隣接する１又は複数ドットの範囲であることを特徴とする。
【００１２】
本発明にあっては、前記判定手段は前記手書き領域に隣接する１又は複数ドットの範囲の色相が前記手書き領域の色相と同一又は類似であるかを判定し、前記判定手段の判定結果に基づき、前記調整手段が色相、彩度又は明度の調整を行う。
【００１３】
本発明に係る画像処理装置は、前記調整手段による色相、彩度又は明度の調整の実行に係る指示を受付ける指示受付手段を備え、該指示受付手段が前記指示を受付けた場合、前記調整手段が色相、彩度又は明度の調整を行うように構成されていることを特徴とする。
【００１４】
本発明にあっては、前記指示受付手段がユーザによる前記指示を受付けた場合は、前記調整手段が手書き領域に隣接する所定範囲又は前記手書き領域の縁部の色相、彩度又は明度の調整を行うが、前記指示受付手段が前記指示を受付けていない場合は、前記調整手段は前記調整を行わない。
【００１５】
本発明に係る画像処理装置は、表示部と、前記調整手段による色相、彩度又は明度の調整前に、該調整が行われた場合に予測される画像データに基づく画像を前記表示部に表示する表示手段とを備えていることを特徴とする。
【００１６】
本発明にあっては、前記表示手段は前記調整手段による色相、彩度又は明度の調整前に、前記画像を前記表示部に表示し、ユーザは前記画像を参考にして、色相、彩度又は明度の調整を指示する。
【００１７】
本発明に係る画像形成装置は、前述の本発明のいずれか一つに記載の画像処理装置を備え、該画像処理装置により処理された画像データに基づき、シート上に画像を形成するように構成されていることを特徴とする。
【００１８】
本発明にあっては、前記画像処理装置により処理された画像データが、例えば印刷用紙上に印刷される。
【発明の効果】
【００１９】
本発明によれば、手書き領域に隣接する所定範囲又は前記手書き領域の縁部の色相、彩度又は明度の調整を行う調整手段を備えているので、例えば所定色の模様等が印刷された印刷シートに、前記所定色と同色の手書きが書き込まれた場合に対しても対応することが出来る。
【００２０】
本発明によれば、前記判定手段が手書き領域及び手書き領域を囲む外側領域の色相が同一又は類似であると判定した場合は、前記調整手段が手書き領域に隣接する所定範囲又は前記手書き領域の縁部の色相、彩度又は明度の調整を行うので、所定色の模様等が印刷された印刷シートに、前記所定色と同色の手書きが書き込まれた場合に対しても対応することが出来る。
【００２１】
本発明によれば、無駄のない処理が可能となる。すなわち、所定色の模様等が印刷された印刷シートに、前記所定色と同色の手書きが書き込まれた場合において、実際に手書き領域が正確に視認できるか否かは、広い範囲でなく前記手書き領域を囲む数ドットの領域の色相が手書き領域と同一か否かによることから、前記判定手段は前記手書き領域に隣接する１又は複数ドットの範囲のみの色相と手書き領域の色相との同一又は類似如何を判定するので、より実質的な処理が可能となる。
【００２２】
本発明によれば、前記指示受付手段が色相、彩度又は明度の調整の実行に係る指示をユーザから受付けた場合のみ、前記調整手段が手書き領域に隣接する所定範囲又は前記手書き領域の縁部の色相、彩度又は明度の調整を行うので、前記調整の実行に対する判断をユーザに委ねることによってユーザの意図を十分に反映することが出来る。
【００２３】
本発明によれば、前記表示手段は前記調整手段による色相、彩度又は明度の調整前に、前記調整が行われた場合に予測される画像データに基づく画像を前記表示部に表示するので、ユーザは前記表示部に表示される前記画像を参考にして、色相、彩度又は明度の調整を指示することが出来る。
【００２４】
本発明によれば、所定色の模様等が印刷された印刷シートに、前記所定色と同色の手書きが書き込まれた場合であっても、前記画像処理装置によって手書き領域の縁部又は手書き領域に隣接する所定範囲の色相、彩度又は明度を調整する処理が行われ、前記手書き領域と手書き領域に隣接する所定範囲との色相、彩度又は明度が異なるようにした画像データに基づく画像がシート上に形成されるので、形成された画像において、手書き領域が視認され易くなる。
【発明を実施するための最良の形態】
【００２５】
（実施の形態１）
以下、本発明の実施の形態１について図面を参照しつつ詳細に説明する。説明の便宜上、複合機を実施の形態１に係る画像処理装置及び画像形成装置の例として説明する。図１は本発明の実施の形態１に係る複合機１の要部構成を示すブロック図である。複合機１は、原稿の画像を読み取って印刷用紙に印刷するコピーモード、外部から画像を受信して印刷用紙に印刷するプリンターモード、原稿の画像を読み取って外部に送信するスキャナーモード、及び原稿の画像を読み取って送信したり、原稿の画像を受信して印刷用紙に印刷したりするファクシミリモード等を選択的に行うことが可能である。
【００２６】
実施の形態１に係る複合機１は、原稿の画像を読み取るイメージスキャナなどの画像読み取り部２と、入力キーなどの入力部４ａ及び液晶表示パネルなどの表示部４ｂとを有する操作部４と、画像データを一時的に記憶するメモリ６ａ及び印刷用紙に画像を形成する印字部（ＬＳＵ：Laser Scanning Unit）６ｂを有する画像形成部６と、外部との通信を行うＬＡＮ、インタフェイスなどの通信部１０と、電話回線網に接続されたＦＡＸモデム１１と、画像データを記憶するハードディスクドライブ（以下、ハードディスクという）１２と、メモリ６ａに読み出された画像データに画像処理を行う画像処理部３と、制御プログラム及び各種設定などを記憶するフラッシュメモリなどの管理部１４と、制御プログラムに従って装置内の上述した各構成部を制御するＣＰＵ（Central Processing Unit）などの制御部８を備える。
【００２７】
制御部８は、複合機１の各構成部の制御を行う。例えばタッチパネル又は入力キーなどの入力部４ａから操作指示を受付け、受付けた操作指示に応じた処理を実行し、複合機１の動作状態に関する情報などを表示部４ｂに表示して、必要な情報を使用者に報知する。また、管理部１４には、各構成部の動作設定などに関する情報が記憶されており、制御部８は前記情報に基づいて複合機１全体の動作を制御する。
【００２８】
画像読み取り部２は、原稿の画像データを光学的に読み取る読み取り手段であり、読み取るべき原稿に光を照射する光源、ＣＣＤ（Charge Coupled Device）２ａのようなイメージセンサ等を備えている。画像読み取り部２では、所定の読み取り位置にセットされた原稿からの反射光像を前記イメージセンサに結像させ、アナログ電気信号（画像データ）として出力する。画像読み取り部２が出力したアナログ電気信号はメモリ６ａに一時的に記憶される。
【００２９】
画像読み取り部２にて得られたアナログ電気信号はメモリ６ａを介して画像処理部３に入力される。画像処理部３は前記アナログ電気信号を基にディジタル形式の画像データを生成し、画像の種類に応じた処理を施した後、出力用の画像データを生成する。生成した画像データは画像形成部６に出力される。また、本発明の実施の形態１において画像処理部３は、制御部８の指示に応じた画像処理を行い、後述の手書き部ｗ及び周囲部ｓが同一色である場合であっても、視認できるようにする。
【００３０】
画像形成部６は、上述したようにメモリ６ａ及び印字部６ｂを備え、メモリ６ａから出力される画像データに基づいて印字部６ｂが印刷用紙、ＯＨＰフィルム等の印刷シート上に画像形成を行う。画像形成部６のメモリ６ａは、例えばＤＲＡＭ（Dynamic Random Access Memory）などからなり、画像読み取り部２、画像処理部３、通信部１０又はハードディスク１２からの画像データを一時的に記憶する。また、画像形成部６の印字部６ｂは、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して顕像化する現像器、感光体ドラム表面に形成されたトナー像を用紙上に転写する転写器等（図示せず）を備えており、電子写真方式により画像を印刷シート上に形成する。なお、レーザ書込装置を用いた電子写真方式により画像形成を行う他、インクジェット方式、熱転写方式、昇華方式等により画像形成を行う構成であってもよい。
【００３１】
ハードディスク１２は、画像読み取り部２のＣＣＤ２ａによって読み取った原稿の画像データ、通信部１０が受信した外部からの画像データ及び画像処理部３によって処理された画像データを記憶しており、操作部４が受付けた指示に応じて制御部８が画像形成部６又は通信部１０などを制御して、ハードディスク１２に記憶されている画像データの出力を行う。
【００３２】
図２は本発明の実施の形態１に係る複合機１の制御部８の処理手順を示すフローチャートである。説明の便宜上、複合機１はカラーコピー機能を有しており、コピーモードにおける制御部８の処理手順を例として説明する。
【００３３】
図３はコピーすべき原稿の一例を例示する例示図である。コピーすべき原稿は、印刷用紙Ｐの上に菱形の模様ｄが印刷されており、模様ｄにはＶ字に類似する手書きがされている。模様ｄ及び手書きｗは同じ黒色である。（模様ｄ及び手書きｗの見分けのため、模様ｄは間隔の細かい黒色のハチングがされている。）なお、原稿において手書きに係る領域を手書き部ｗといい、該手書き部ｗに隣接する、例えば５つのドットに相当する範囲の領域を周囲部ｓという。
【００３４】
ユーザが操作部４の入力部４ａを操作することにより、制御部８はコピーの指示を受付ける（Ｓ１０１）。制御部８は画像読み取り部２に原稿の読み取りを指示する。制御部８の指示に従って、画像読み取り部２は所定の読み取り位置にセットされた原稿を読み取る（Ｓ１０２）。画像読み取り部２により読み取れられた原稿の画像はアナログ信号として画像処理部３に入力されてアナログ／ディジタル変換され、原稿に係る画像データが得られる。
【００３５】
次いで制御部８は、前記画像データに基づき、前記原稿に手書きが含まれているか否かを判定する（Ｓ１０３）。原稿に係る画像データに基づき、手書きが含まれているか否かに対する判定は、公知の技術を利用する。例えば、ストロークの太さ、直線性、角度を抽出することにより手書き文字であるか否かを判定する方法、二値化したデータの形や大きさ、直線性を利用して手書き文字を判断する方法、二値化したデータの直線性を利用して手書き文字を判断する方法、又は画像データを二値化してそのパターンを利用する方法の何れであっても良い。
【００３６】
制御部８は手書きが含まれていないと判定された場合（Ｓ１０３：ＮＯ）、Ｓ１０７の処理に移行する。一方、制御部８は手書きが含まれていると判定された場合（Ｓ１０３：ＹＥＳ）、原稿の画像データのＲ，Ｇ，Ｂ信号に基づいて、手書き部ｗ及び周囲部ｓの色相を判別する（Ｓ１０４）。例えば、Ｒ，Ｇ，Ｂのアナログ信号を夫々２５６階調にディジタル変換し、ディジタル変換したＲ信号，Ｇ信号及びＢ信号を比較することにより、色相の判別が行われる。また、制御部８は、手書き部ｗ及び周囲部ｓの色相の判別結果に基づき、手書き部ｗと周囲部ｓの色相が同一であるか否かについて判定する（Ｓ１０５）。
【００３７】
制御部８は手書き部ｗと周囲部ｓの色相が同一でないと判定した場合（Ｓ１０５：ＮＯ）、Ｓ１０７の処理に移行する。一方、制御部８は手書き部ｗと周囲部ｓの色相が同一であると判定した場合（Ｓ１０５：ＹＥＳ）、画像処理部３は手書き部ｗに隣接する、例えば２つのドットに相当する範囲の領域（以下、隣接部）の明度を高める調整を行う（Ｓ１０６）。
【００３８】
次いで制御部８は、隣接部の明度を高く調整した画像データに基づいた画像を印刷用紙上へ印刷するように画像形成部６に指示する。つまり、画像処理部３によって処理された画像データはメモリ６ａに出力され、印字部６ｂがメモリ６ａに入力された画像データに基づき、印刷用紙上に画像を形成する（Ｓ１０７）。
【００３９】
図４は実施の形態１において、隣接部ｃの明度を高く調整した画像データに基づいて、印刷用紙Ｐ２上に形成された画像の一例を示す例示図である。図３及び図４を比較した場合、手書き部ｗを囲む周囲の隣接部ｃの明度が高く調整されることにより、手書き部ｗと模様ｄとが同一色相であるにも係わらず、視認及び区別することが出来る。
【００４０】
（実施の形態２）
図５は本発明の実施の形態２に係る複合機１の制御部８の処理手順を示すフローチャートである。
【００４１】
ユーザが操作部４の入力部４ａを操作することにより、制御部８はコピーの指示を受付ける（Ｓ２０１）。制御部８は画像読み取り部２に原稿の読み取りを指示し、画像読み取り部２は所定の読み取り位置にセットされた原稿を読み取り（Ｓ２０２）、原稿に係る画像データが得られる。
【００４２】
次いで制御部８は、前記画像データに基づき、前記原稿に手書きが含まれているか否かを判定する（Ｓ２０３）。制御部８は手書きが含まれていないと判定された場合（Ｓ２０３：ＮＯ）、Ｓ２０７の処理に移行する。一方、制御部８は手書きが含まれていると判定された場合（Ｓ２０３：ＹＥＳ）、原稿の画像データのＲ，Ｇ，Ｂ信号に基づいて、手書き部ｗ及び周囲部ｓの色相を判別する（Ｓ２０４）。また、制御部８は、手書き部ｗ及び周囲部ｓの色相の判別結果に基づき、手書き部ｗと周囲部ｓの色相が同一であるか否かについて判定する（Ｓ２０５）。
【００４３】
制御部８は手書き部ｗと周囲部ｓの色相が同一でないと判定した場合（Ｓ２０５：ＮＯ）、Ｓ２０７の処理に移行する。一方、制御部８は手書き部ｗと周囲部ｓの色相が同一であると判定した場合（Ｓ２０５：ＹＥＳ）、画像処理部３は手書き部ｗの縁部分、例えば３つのドットに相当する範囲の領域（以下、縁部）の明度を高める調整を行う（Ｓ２０６）。
【００４４】
次いで制御部８の指示に従って、画像処理部３により処理された画像データはメモリ６ａに出力され、印字部６ｂはメモリ６ａに入力された画像データに基づき、印刷用紙上に画像を形成する（Ｓ２０７）。
【００４５】
図６は実施の形態２において、縁部の明度を高く調整した画像データに基づいて、印刷用紙Ｐ３上に形成された画像の一例を示す例示図である。なお、実施の形態１と同一の部分については同一の符号を付してその詳細な説明を省略する。図３及び図６を比較した場合、手書き部ｗの縁部ｏの明度が高く調整されることにより、手書き部ｗと模様ｄとが同一色相であるにも係わらず、視認及び区別することが出来る。
【００４６】
（実施の形態３）
図７は本発明の実施の形態３に係る複合機１の制御部８の処理手順を示すフローチャートである。
【００４７】
ユーザが操作部４の入力部４ａを操作することにより、制御部８はコピーの指示を受付ける（Ｓ３０１）。制御部８は画像読み取り部２に原稿の読み取りを指示し、画像読み取り部２は所定の読み取り位置にセットされた原稿を読み取り（Ｓ３０２）、原稿に係る画像データが得られる。
【００４８】
次いで制御部８は、前記画像データに基づき、前記原稿に手書きが含まれているか否かを判定する（Ｓ３０３）。制御部８は手書きが含まれていないと判定された場合（Ｓ３０３：ＮＯ）、Ｓ３０９の処理に移行する。一方、制御部８は手書きが含まれていると判定された場合（Ｓ３０３：ＹＥＳ）、原稿の画像データのＲ，Ｇ，Ｂ信号に基づいて、手書き部ｗ及び周囲部ｓの色相を判別する（Ｓ３０４）。また、制御部８は、手書き部ｗ及び周囲部ｓの色相の判別結果に基づき、手書き部ｗと周囲部ｓの色相が同一であるか否かについて判定する（Ｓ３０５）。
【００４９】
制御部８は手書き部ｗと周囲部ｓの色相が同一でないと判定した場合（Ｓ３０５：ＮＯ）、Ｓ３０９の処理に移行する。一方、制御部８は手書き部ｗと周囲部ｓの色相が同一であると判定した場合（Ｓ３０５：ＹＥＳ）、手書き部ｗの縁部ｏの明度を高める調整を行った場合に予測される画像データに基づく画像を操作部４の表示部４ｂに表示し（Ｓ３０６）、ユーザに手書き部ｗの縁部ｏの明度を高める調整の実行に対する許可を求める。例えば、「手書きの視認のための処理を実行しますか？」という質問と、「ＹＥＳ」及び「ＮＯ」の選択ボタンが操作部４の表示部４ｂに表示される。
【００５０】
次いで、制御部８は「ＹＥＳ」に係る指示を受付けたか否かについて判定する（Ｓ３０７）。ユーザが「ＮＯ」の選択ボタンを操作することにより、制御部８が「ＮＯ」に係る指示を受付けた場合（Ｓ３０７：ＮＯ）、Ｓ３０９の処理に移行する。一方、ユーザが「ＹＥＳ」の選択ボタンを操作することにより、制御部が「ＹＥＳ」に係る指示を受付けた場合（Ｓ３０７：ＹＥＳ）、画像処理部３は手書き部ｗの縁部ｏの明度を高める調整を行う（Ｓ３０８）。
【００５１】
次いで制御部８の指示に従って、画像処理部３により処理された画像データはメモリ６ａに出力され、印字部６ｂはメモリ６ａに入力された画像データに基づき、印刷用紙上に画像を形成する（Ｓ３０９）。
【００５２】
実施の形態１乃至３においては、手書き部ｗと周囲部ｓの色相が同一である場合、隣接部ｃ又は縁部ｏの明度を調整する場合について説明したが、これに限るものでなく、例えば隣接部ｃ又は縁部ｏの彩度を調整するように構成しても良く、隣接部ｃ又は縁部ｏの色相をいわゆる補色に変えるように構成しても良い。
【００５３】
また、実施の形態１乃至３においては、手書き部ｗ全てが模様等の領域内にされている場合について説明したがこれに限るものでない。例えば、手書き部ｗが模様等の領域と非模様等の領域とに跨っている場合が生じうる。このような場合は、全周囲部のうち手書き部ｗと同一色相である部分の割合が所定割合（例えば５割）以上である場合のみ、隣接部ｃ又は縁部ｏの明度、彩度又は色相の調整を行うようにしても良く、全周囲部のうち手書き部ｗと同一色相である部分のみに対して隣接部ｃ又は縁部ｏの明度、彩度又は色相の調整を行うようにしても良い。
【００５４】
また、実施の形態１乃至３においては、手書き部ｗ及び周囲部ｓの色相が同一である場合、手書き部ｗの隣接部ｃ又は縁部ｏの明度、彩度又は色相の調整を行うように構成された例について説明したがこれに限るものでない。例えば、ディジタル変換した手書き部のＲ信号，Ｇ信号及びＢ信号に対して、周囲部ｓのＲ信号，Ｇ信号及びＢ信号が所定範囲内にある場合は、手書き部ｗ及び周囲部ｓの色が類似していると判定し、隣接部ｃ又は縁部ｏの明度、彩度又は色相の調整を行うように構成しても良い。
【００５５】
また、実施の形態１乃至３においては、手書き部ｗと周囲部ｓの色相が同一である場合、隣接部ｃ又は縁部ｏの明度を調整する処理において、隣接部ｃは手書き部ｗに隣接する２つのドットに相当する範囲の領域であり、縁部ｏは手書き部ｗの３つのドットに相当する範囲の縁部分である場合を例として説明したが、これに限るものでなく、手書き部ｗと隣接部ｃ（又は縁部ｏ）との色相関係に応じて隣接部ｃ（又は縁部ｏ）の幅を変えるように構成してもよい。例えば、手書き部ｗの色相が黒色であって隣接部ｃ（又は縁部ｏ）の色相を白色にするような場合は、両色相の違いが明確に認識できるので、隣接部ｃ（又は縁部ｏ）の幅を狭くしても、手書き部ｗを容易に視認することが出来る。
【００５６】
また、上記においては、手書き部ｗと隣接部ｃ（又は縁部ｏ）との色相関係に応じて隣接部ｃ（又は縁部ｏ）の幅を変えるように構成した場合について説明したが、これに限るものでなく、手書き部ｗと隣接部ｃ（又は縁部ｏ）との色相の彩度又は明度の度合いに応じて、隣接部ｃ（又は縁部ｏ）の幅を変えるように構成しても良い。例えば、手書き部ｗの色相の彩度（又は明度）が低く、隣接部ｃ（又は縁部ｏ）の色相の彩度（又は明度）を高くするような場合は、手書き部ｗと隣接部ｃ（又は縁部ｏ）との色相の彩度（又は明度）の差が明確に認識できるので、隣接部ｃ（又は縁部ｏ）の幅を狭くしても、手書き部ｗを容易に視認することが出来る。
【図面の簡単な説明】
【００５７】
【図１】本発明の実施の形態１に係る複合機の要部構成を示すブロック図である。
【図２】本発明の実施の形態１に係る複合機の制御部の処理手順を示すフローチャートである。
【図３】コピーすべき原稿の一例を例示する例示図である。
【図４】実施の形態１において、隣接部の明度を高く調整した画像データに基づいて、印刷用紙上に形成された画像の一例を示す例示図である。
【図５】本発明の実施の形態２に係る複合機の制御部の処理手順を示すフローチャートである。
【図６】実施の形態２において、縁部の明度を高く調整した画像データに基づいて、印刷用紙上に形成された画像の一例を示す例示図である。
【図７】本発明の実施の形態３に係る複合機の制御部の処理手順を示すフローチャートである。
【符号の説明】
【００５８】
２  画像読み取り部
３  画像処理部
４ｂ  表示部
６  画像形成部
６ａ  メモリ
６ｂ  印字部
８  制御部
１４  管理部
Ｐ  印刷用紙
ｃ  隣接部
ｏ  縁部
ｗ  手書き部
ｓ  周囲部
【図１】
2009105492.tif 000003
【図２】
2009105492.tif 000004
【図３】
2009105492.tif 000005
【図４】
2009105492.tif 000006
【図５】
2009105492.tif 000007
【図６】
2009105492.tif 000008
【図７】
2009105492.tif 000009